(57)【要約】【課題】記録される音や画像の質を、記録される前に確認できるようにする。【解決手段】符号化部１３は、所定の符号化方式で、また、その時点で、設定されているモード（圧縮率）で、供給されたデータを圧縮し、バッファ１４を介して、復号化部１５に供給する。復号化部１５は、供給されたデータを復号化し、出力部１６に供給する。出力部１６に供給されたデータは、スピーカやディスプレイに供給される。ユーザは、記録が実行される前の時点で、その時点で設定されているモードで記録されたときの音質や画質を確認する。その確認した質で良ければ、その後、記録媒体３へのデータの記録が開始される。本発明は、データを記録する記録再生装置に適用することができる。【選択図】      図２
2004334968.tif 000002
【特許請求の範囲】
【請求項１】
データを所定の方式で符号化する符号化手段と、
前記符号化手段により符号化された前記データを、復号する復号手段と、
前記符号化手段により符号化された前記データを、所定の記録媒体に記録する記録手段と
を備え、
前記復号手段による復号が行われている状態で、その復号の停止が、ユーザにより指示されたとき、前記記録手段による記録が開始される
ことを特徴とする記録制御装置。
【請求項２】
前記所定の方式は、異なる複数の符号化方式と、同一の符号化方式における複数の異なる圧縮率の方式とを含み、それらの方式から１つの方式を選択する選択手段をさらに備え、
前記符号化手段は、前記選択手段により選択された方式で符号化を行う
ことを特徴とする請求項１に記載の記録制御装置。
【請求項３】
データを所定の方式で符号化する符号化ステップと、
前記符号化ステップの処理で符号化された前記データを、復号する復号ステップと、
前記符号化ステップの処理で符号化された前記データの所定の記録媒体への記録を制御する記録制御ステップと
を含み、
前記復号ステップの処理で復号が行われている状態で、その復号の停止が、ユーザにより指示されたとき、前記記録制御ステップによる記録の制御が開始される
ことを特徴とする記録制御方法。
【請求項４】
データを所定の方式で符号化する符号化ステップと、
前記符号化ステップの処理で符号化された前記データを、復号する復号ステップと、
前記符号化ステップの処理で符号化された前記データの所定の記録媒体への記録を制御する記録制御ステップと
を含み、
前記復号ステップの処理で復号が行われている状態で、その復号の停止が、ユーザにより指示されたとき、前記記録制御ステップによる記録の制御が開始される
を含むことを特徴とするコンピュータが読み取り可能なプログラムが記録されている記録媒体。
【請求項５】
データを所定の方式で符号化する符号化ステップと、
前記符号化ステップの処理で符号化された前記データを、復号する復号ステップと、
前記符号化ステップの処理で符号化された前記データの所定の記録媒体への記録を制御する記録制御ステップと
を含み、
前記復号ステップの処理で復号が行われている状態で、その復号の停止が、ユーザにより指示されたとき、前記記録制御ステップによる記録の制御が開始される
ことを特徴とする処理をコンピュータに実行させるプログラム。
【発明の詳細な説明】
【０００１】
【発明の属する技術分野】
本発明は記録制御装置および方法、記録媒体、並びにプログラムに関し、特に、データを記録する際、異なる圧縮率で記録を行うことができる装置に適用して好適な記録制御装置および方法、記録媒体、並びにプログラムに関する。
【０００２】
【従来の技術】
入力したデータを所定の方式により圧縮し、記録媒体に記録する装置が普及している。例えば、ＭＤ（Ｍｉｎｉ  Ｄｉｓｃ）（商標）プレーヤは、ミニディスクと称されるディスク状の記録媒体に記録されているデータ、例えば音楽データを再生し、音楽をユーザに提供する。
【０００３】
また、ＭＤプレーヤによっては録音機能を有しているものもあり、そのようなプレーヤでは、他の装置からの音楽データを所定の方式に基づき圧縮（符号化）し、ディスク状の記録媒体に記録することができる。その記録の際、ユーザは、圧縮率の異なるモードを選択し、そのモードで記録させることができる。モードは、録音されたデータを再生したときのトータルの再生時間や音質にかかわっており、例えば、比較的長時間分の音楽データを記録させることはできるが、音質が比較的悪いモードや、長時間分の音楽データを記録することはできないが、音質が比較的良いモードなどである。（例えば、非特許文献１参照。）
【０００４】
【非特許文献１】
ソニー株式会社、ソニーｅカタログサイト、［ｏｎｌｉｎｅ］、［平成１５年３月２０日検索］、インターネット＜ＵＲＬ：ｈｔｔｐ：／／ｗｗｗ．ｅｃａｔ．ｓｏｎｙ．ｃｏ．ｊｐ／ａｕｄｉｏ／ｗａｌｋｍａｎ／ｐｒｏｄｕｃｔｓ／ｉｎｄｅｘ．ｃｆｍ？ＰＤ＝１１３００＆ＫＭ＝ＭＺ−Ｎ９１０＞
【０００５】
【発明が解決しようとする課題】
上述したように、設定されたモードで録音された音は、そのモードに依存した音質となる。例えば、ユーザが、長時間分の音楽データが記録できるモードに設定して記録媒体に記録させた音楽データを再生したとき、その音質が気に入らなければ、再度、異なるモードに設定しなおして、同一の音楽を、記録媒体に記録し直すといったことを行わなくてはならなかった。
【０００６】
同じような処理を繰り返し行わなくてはならないというのは、ユーザにとって煩わしい処理である。また、上述したＭＤプレーヤに用いられるディスクは、繰り返し録音できる記録媒体であるので、仮に、１度記録させた音楽データによる音が気に入らなかった場合、同じ記録媒体に、再度記録し直すということは可能である。
【０００７】
しかしながら、ＣＤ−Ｒ（Ｃｏｍｐａｃｔ  Ｄｉｓｃ−Ｒｅｃｏｒｄａｂｌｅ）などの記録媒体は、１度書き込みを行うと（１度記録してしまうと）、その記録媒体に、再度、データを記録させる（上書きさせる）といったことはできない。すなわち、このような記録媒体に、ユーザが、所定のモードで、例えば、音楽データを記録させ、その記録させた音楽データを再生させたときの音の音質が気に入らないとしても、再度、その記録媒体に対して音楽データを記録させることはできず、結果として、その気に入らない音質の音データが記録された記録媒体は、破棄されるなどされる。
【０００８】
そのようなことは、同じ処理を繰り返さなくてはならないといったユーザにとって煩わしい処理を行わせるだけでなく、記録媒体という資源を無駄に消費する結果になってしまう。
【０００９】
本発明はこのような状況に鑑みてなされたものであり、記録媒体に記録されるデータを再生したときの質を、記録媒体にデータを記録する前に、ユーザが確認できるようにし、もって、ユーザが同じ処理を繰り返さなくてならない、資源を無駄に消費するなどの不都合をなくすことを目的とする。
【００１０】
【課題を解決するための手段】
本発明の記録制御装置は、データを所定の方式で符号化する符号化手段と、符号化手段により符号化されたデータを、復号する復号手段と、符号化手段により符号化されたデータを、所定の記録媒体に記録する記録手段とを備え、復号手段による復号が行われている状態で、その復号の停止が、ユーザにより指示されたとき、記録手段による記録が開始されることを特徴とする。
【００１１】
前記所定の方式は、所定の方式は、異なる複数の符号化方式と、同一の符号化方式における複数の異なる圧縮率の方式とを含み、それらの方式から１つの方式を選択する選択手段をさらに備え、符号化手段は、選択手段により選択された方式で符号化を行うようにすることができる。
【００１２】
本発明の記録制御方法は、データを所定の方式で符号化する符号化ステップと、符号化ステップの処理で符号化されたデータを、復号する復号ステップと、符号化ステップの処理で符号化されたデータの所定の記録媒体への記録を制御する記録制御ステップとを含み、復号ステップの処理で復号が行われている状態で、その復号の停止が、ユーザにより指示されたとき、記録制御ステップによる記録の制御が開始されることを特徴とする。
【００１３】
本発明の記録媒体のプログラムは、データを所定の方式で符号化する符号化ステップと、符号化ステップの処理で符号化されたデータを、復号する復号ステップと、符号化ステップの処理で符号化されたデータの所定の記録媒体への記録を制御する記録制御ステップとを含み、復号ステップの処理で復号が行われている状態で、その復号の停止が、ユーザにより指示されたとき、記録制御ステップによる記録の制御が開始されるを含むことを特徴とする。
【００１４】
本発明のプログラムは、データを所定の方式で符号化する符号化ステップと、符号化ステップの処理で符号化されたデータを、復号する復号ステップと、符号化ステップの処理で符号化されたデータの所定の記録媒体への記録を制御する記録制御ステップとを含み、復号ステップの処理で復号が行われている状態で、その復号の停止が、ユーザにより指示されたとき、記録制御ステップによる記録の制御が開始されることを特徴とする。
【００１５】
本発明においては、データが所定の方式で符号化された直後に、その符号化されたデータが復号されて、ユーザに提供される。そして、その復号されたデータによる、例えば、音や映像で記録を開始するとユーザが指示すると、記録媒体に記録が開始される。
【００１６】
【発明の実施の形態】
以下に本発明の実施の形態を説明するが、特許請求の範囲に記載の発明の各手段と以下の実施の形態との対応関係を明らかにするために、各手段の後の括弧内に、対応する実施の形態（但し一例）を付加して本発明の特徴を記述すると、次のようになる。但し勿論この記載は、各手段を記載したものに限定することを意味するものではない。
【００１７】
請求項１に記載の記録制御装置（例えば、図２の記録再生装置４）は、データを所定の方式で符号化する符号化手段（例えば、図２の符号化部１３）と、符号化手段により符号化されたデータを、復号する復号手段（例えば、図２の復号化部１５）と、符号化手段により符号化されたデータを所定の記録媒体に記録する記録手段（例えば、図２の記録再生部１７）とを備え、復号手段による復号が行われている状態で、その復号の停止が、ユーザにより指示されたとき、記録手段による記録が開始される（例えば、図３のフローチャートに示される処理）ことを特徴とする。
【００１８】
請求項２に記載の記録制御装置における所定の方式は、異なる複数の符号化方式と、同一の符号化方式における複数の異なる圧縮率の方式とを含み、それらの方式から１つの方式を選択する選択手段（例えば、図３のステップＳ１２の処理に含まれる処理を実行する図２の制御部１２）をさらに備え、符号化手段は、選択手段により選択された方式で符号化を行うことを特徴とする。
【００１９】
以下に、本発明の実施の形態について図面を参照して説明する。図１は、本発明を適用した記録制御装置を含むシステムの一実施の形態の構成を示す図である。記録媒体１は、再生装置２にセットされる。再生装置２は、セットされた記録媒体１に記録されているデータを再生し、その再生したデータを記録再生装置４に供給する。
【００２０】
記録再生装置４には、記録媒体３がセットされており、その記録媒体３に、再生装置２から供給されたデータを記録する。また、記録再生装置４は、セットされている記録媒体３に記録されているデータを再生し、スピーカ５に供給する。スピーカ５は、供給されたデータに基づく音を出力する。
【００２１】
なお、ここでは、再生装置２と記録再生装置４は、それぞれ別体として説明するが、一体型に構成されていても良い。
【００２２】
記録媒体１または記録媒体３は、それぞれ、再生装置２や記録再生装置４に対して、着脱自在のものでも良いし、内蔵されているものでも良い。
【００２３】
記録媒体１または記録媒体３は、例えば、ＣＤ（Ｃｏｍｐａｃｔ  Ｄｉｓｃ）、ＣＤ−Ｒ（Ｃｏｍｐａｃｔ  Ｄｉｓｃ−Ｒｅｃｏｒｄａｂｌｅ）、ＣＤ−ＲＷ（ＣＤ−ＲｅＷｒｉｔａｂｌｅ）、ＣＤ−ＲＯＭ（Ｃｏｍｐａｃｔ  Ｄｉｓｃ−Ｒｅａｄ  Ｏｎｌｙ  Ｍｅｍｏｒｙ）、ＤＶＤ（Ｄｉｇｉｔａｌ  Ｖｅｒｓａｔｉｌｅ  Ｄｉｓｃ）、ＨＤＤ（Ｈａｒｄ  Ｄｉｓｃ  Ｄｒｉｖｅ）などの、磁気ディスク、光ディスク、光磁気ディスク、半導体メモリなどに属する記録媒体である。
【００２４】
また、記録媒体１は、デジタルデータではなく、アナログデータが記録されているものでも良い。例えば、レコードやカセットテープなどでも良い。
【００２５】
また、再生装置２や記録再生装置４は、セットされる記録媒体１や記録媒体３を扱える装置である。例えば、記録媒体１がＣＤである場合、再生装置２は、ＣＤプレーヤである。
【００２６】
図２は、記録再生装置４の内部構成例を示す図である。記録再生装置４の入力部１１は、再生装置２により再生された記録媒体１に記録されているデータを入力する。ここでは、再生装置２からのデータを入力するとして説明するが、ネットワークなどを介して接続されている他の装置からのデータを入力するようにしても良い。
【００２７】
入力部１１に入力されたデータは、制御部１２の制御により、符号化部１３に供給される。符号化部１３は、供給されたデータを所定の符号化方式で、符号化（圧縮）する。符号化部１３により符号化は、例えば、ＡＴＲＡＣ（Ａｄｖａｎｃｅｄ  Ｔｒａｎｓｆｏｒｍ  Ａｃｏｕｓｔｉｃ  Ｃｏｄｉｎｇ）、ＭＰ３（ＭＰＥＧ−１  Ａｕｄｉｏ  Ｌａｙｅｒ３）などの符号化方式に基づき行われる。
【００２８】
符号化部１３により符号化されたデータは、バッファ１４に一旦記憶される。バッファ１４は、必ずしも設ける必要はなく、必要に応じて設けられるようにすればよい。バッファ１４に記憶されたデータは、復号化部１５に供給される。復号化部１５は、符号化部１３による符号化に対応する復号を行う。例えば、符号化部１３においてＡＴＲＡＣ方式による符号化が行われる場合、復号化部１５においてもＡＴＲＡＣ方式による復号化が行われる。
【００２９】
復号化部１５において復号されたデータは、制御部１２の制御のもと、出力部１６に供給される。出力部１６に供給されたデータは、スピーカ５（図１）に供給される。
【００３０】
バッファ１４に記憶されたデータは、記録再生部１７に供給される場合もある。記録再生部１７は、制御部１２の制御のもと、バッファ１４から供給されたデータを記録媒体３に記録する。また、記録再生部１７は、記録媒体３に記録されているデータを、制御部１２の制御のもと、読み出し、バッファ１４に供給する。
【００３１】
記録再生部１７から供給され、バッファ１４に記憶されたデータは、復号化部１５に供給され、復号され、出力部１６に供給される。出力部１６に供給されたデータは、上述したように、スピーカ５に供給される。
【００３２】
図２に示した記録再生装置４においては、出力部１６に供給されるデータの経路は、２経路ある。まず第１の経路としては再生装置２から供給されたデータが符号化部１３により符号化され、その直後に復号化部１５により復号化されたデータが出力部１６に供給される経路である。第２の経路としては、記録媒体３から読み出されたデータが、復号化部１５により復号化されたデータが、出力部１６に供給される経路である。
【００３３】
出力部１６に供給されるデータの経路の指示などは、操作部１８によりユーザが指示した内容に基づき行われる。操作部１８は、図示しない複数のボタンなどから構成されており、ユーザが所望の処理を、記録再生装置４に対して指示できるように構成されている。また、操作部１８による操作の状況などは、表示部１９に表示される。
【００３４】
表示部１９は、ＬＥＤ（Ｌｉｇｈｔ  Ｅｍｉｔｔｉｎｇ  Ｄｉｏｄｅ）などから構成されており、操作部１８が操作されることにより指示されていることや、再生時間といったような情報などを表示する。
【００３５】
なお、ここでは、記録再生部１７を備える装置として、記録再生装置４を説明するが、記録を制御するための記録部のみを備える装置であっても、本発明を適用することはでき、後述する処理を実行させることはできる。
【００３６】
このような構成を有する記録再生装置４の動作について説明する。ここでは、再生装置２により再生されるデータを、記録媒体３に記録する際の動作について説明する。図３は、記録再生装置４において行われる記録の動作について説明するためのフローチャートである。
【００３７】
ステップＳ１１において、制御部１２は、操作部１８が操作されることにより、録音または試聴が指示されたか否かを判断する。ここでは、記録再生装置４は、音のデータを扱う装置として説明するため、適宜、録音と表記するが、音のデータだけでなく、画像のデータを扱うようにしても良い。また、画像のデータを扱う場合、その画像は、動画像であっても、静止画像であっても良い。
【００３８】
制御部１２は、操作部１８が操作されることにより、録音または試聴が指示されたか否かを判断するわけだが、操作部１８と、操作部１８の操作状況などの情報を表示する表示部１９は、例えば、図４に示すような構成とされている。操作部１８には、録音ボタン３１、試聴ボタン３２、モードボタン３３、および、決定ボタン３４が設けられている。
【００３９】
図４には、説明の都合上、説明に必要なボタンのみを簡略化して図示しているが、再生を指示するボタンや、音量を設定するボタンなども備えられている。また、それらのボタンは、押下することにより操作されるボタンで構成されているようにしても良いことは勿論だが、ジョグダイヤル（商標）などを含む構成とされるようにしても良い。
【００４０】
また、操作部１８や表示部１９は、記録再生装置４と一体型に構成されていても良いし、別体のリモートコントローラとして設けられていても良い。また、操作部１８は、タッチパネルで構成されていても良い。ここでは、例えば、ＭＤプレーヤのような装置を例に挙げて説明しているが、記録再生装置４は、パーソナルコンピュータでも良く、パーソナルコンピュータのようなものである場合、操作部１８は、キーボードやマウス（いずれも不図示）などで構成され、所定の画面などを表示するディスプレイを含むＧＵＩ（Ｇｒａｐｈｉｃａｌ  Ｕｓｅｒ  Ｉｎｔｅｒｆａｃｅ）で構成される。
【００４１】
録音ボタン３１は、録音を指示するときに操作されるボタンである。試聴ボタン３２は、後述する試聴を行うときに操作されるボタンである。モードボタン３３は、録音時の符号化に関するモードを設定する際に操作されるボタンである。決定ボタン３４は、必要に応じ、設定されたモードで録音などを実行する際に操作されるボタンである。
【００４２】
表示部１９には、操作部１８に操作に対応した表示が行われる。モードボタン３３が操作されることによりモードが選択されると、表示部１９には、モードＡのアイコン４１、モードＢのアイコン４２、または、モードＣのアイコン４３のうちの１つのアイコンが表示される。
【００４３】
試聴のアイコン４４は、試聴ボタン３２が操作されたときに表示されるアイコンである。録音のアイコン４５は、録音が指示されたときや、録音が実行されているときに表示されるアイコンである。再生のアイコン４６は、図示されていない再生ボタンが操作され、再生が実行されているときに表示されるアイコンである。
【００４４】
モードＡ、モードＢ、および、モードＣは、それぞれ、圧縮率が異なるモードである。例えば、ＡＴＲＡＣにおいては、標準モード（例えば、モードＡに該当）、標準モードの２倍の圧縮率を実現したＡＴＲＡＣ３−ＬＰ２のモード（例えば、モードＢに該当）、さらに２倍の圧縮率を実現したＡＴＲＡＣ３−ＬＰ４のモード（例えば、モードＣに該当）がある。このような圧縮率の異なるモードを選択できるようにされている。
【００４５】
このようなモードは、圧縮率が異なるため、同一のデータ（データ量）を圧縮しても、その圧縮されたデータのデータ量は異なる。圧縮されたデータのデータ量が異なるということは、結果として、１枚のディスク（記録媒体）に記録されるデータの再生時間（曲数）が異なることになる。すなわち、圧縮率の高いモードを選択した場合、１枚の記録媒体に記録できる曲数は多くなり、比較的長い再生時間のデータを記録させることができる。しかしながら、圧縮率の高いモードで記録されたデータを再生したときの音は、圧縮率の低いモードで記録されたデータを再生したときの音に比べて、一般的に、音質が悪いものとなってしまう。
【００４６】
このようなことを考慮して、ユーザは、録音時のモードを設定するが、例えば、再生時間を長くしたいために、圧縮率の高いモードを選択し、所定の音を録音させたが、その録音されたものを再生したときの音の音質が、気に入らない（所望の音質ではなかった）といったような場合がある。
【００４７】
また、画像を録画するような場合には、モードの違いにより、ちらつきが多くなり、見づらいものとなってしまうようなことが考えられる。そのような、録音（録画）したデータを再生したものが、ユーザが許容できる音質や画質でなかったような場合、ユーザは、再度、異なるモードで記録し直す必要があった。
【００４８】
そのような、基本的に同じ処理を行うといった無駄な処理をなくすために、本実施の形態においては、記録する前に、設定したモードで記録したときの音質（画質）をユーザが確認できる機能を設ける。その機能を実行させたいときに操作されるのが、試聴ボタン３２である。
【００４９】
記録再生装置４が、このような操作部１８を備えているような場合、ステップＳ１１において制御部１２（図２）は、録音ボタン３１または試聴ボタン３２が操作されたか否かを判断する。または、そのようなボタンが操作された後、さらに決定ボタン３４が操作されたか否かを判断するようにしても良い。
【００５０】
常に、決定ボタン３４が操作されなければ、実際の処理が開始されないように設定されている場合、ステップＳ１１においては、決定ボタン３４が操作されたか否かが判断されるようにすればよい。また、例えば、録音ボタン３１が操作されたときには、デフォルトのモード（例えば、モードＡ）で録音が開始されるように設定されていたり、試聴ボタン３２が操作されたときにはデフォルトのモードで録音されたときの音が試聴できるように設定されているような場合、録音ボタン３１または試聴ボタン３２が操作されたか否かが、ステップＳ１１において判断されるようにすればよい。
【００５１】
いずれの設定を採用し、ステップＳ１１の判断がされるようにしても良いが、ステップＳ１１において、録音または試聴が指示されたと判断された場合、ステップＳ１２に処理が進められる。ステップＳ１２において、試聴が指示されているか否かが判断される。このステップＳ１２における判断により、すぐに録音を開始してよいのか否かが判断される。
【００５２】
ステップＳ１２において、すぐに録音を開始するのではなく、試聴してから録音を開始すると指示されていると判断された場合、ステップＳ１３に処理が進められる。ステップＳ１３において、試聴するモードが設定される。ユーザは、試聴するにしても、試聴せずにすぐに録音するにしても、モードボタン３３を操作し、録音する際のモードを選択している。または、ユーザにより選択がされずに、録音ボタン３１または試聴ボタン３２が操作されたときのために、デフォルトとしてのモードが設定されている。
【００５３】
そのような選択されたモードまたは設定されているモードが、ステップＳ１３において設定される。例えば、ユーザは、試聴を指示する際の操作として、まず、モードボタン３３を操作し、モードＡ乃至Ｃのうちのいづれかのモードを選択する。その操作に対応し、アイコン４１乃至４３のうち、ユーザにより選択されたモードに対応するアイコンのみが、表示部１９に表示される。
【００５４】
その表示されているモードで良ければ、ユーザは、試聴ボタン３２を操作する。そのような操作がされると、表示部１９には、試聴のアイコン４４が、さらに表示される。そのようなモードと試聴に、それぞれ対応するアイコンが表示部１９に表示されている状態で、ユーザが決定ボタン３４（図４）を操作した場合、ステップＳ１１において、録音または試聴が指示されたと判断され、さらに、ステップＳ１２において、試聴が指示されていると判断され、ステップＳ１３に処理が進められる。
【００５５】
ステップＳ１３において、この場合、モードＡ乃至Ｃのうちのユーザにより設定されたモードが、制御部１２により、符号化部１３における符号化のモードとして設定される。符号化部１３は、設定されたモードで、供給されるデータを符号化するように準備を開始する。
【００５６】
なお、ここでは、モードＡ乃至Ｃといったモードが設定可能なモードとして用意されているとして説明するが、例えば、記録の際のビットレートの数値、パーセンテージ（％）で示された圧縮率などで、モードが示される（モードが選択できる）ようにしても良い。さらに、ステレオの音源をステレオで記録するモードや、ステレオの音源であっても、モノラルで記憶するモードなどが備えられていても良い。
【００５７】
ステップＳ１４において、符号化部１３により符号化が開始される。ユーザは、記録再生装置４側での設定を行うと共に、再生装置２（図１）に対しても、記録媒体１の再生の処理を開始させるための操作を行っている。または、記録再生装置４側からの指示により、再生装置２は、記録媒体１の再生の処理を開始する機能を有している。
【００５８】
ユーザの操作または記録再生装置４の指示に対応し、再生装置２は、記録媒体１の再生を開始する。再生装置２により再生されたデータは、記録再生装置４の入力部１１に入力される。さらに、入力部１１に入力されたデータは、制御部１２の制御のもと、符号化部１３に供給される。
【００５９】
符号化部１３は、このようにして供給されたデータを設定されているモードで、符号化する。符号化部１３により符号化が開始されると、ステップＳ１５において、復号化部１５により復号化が開始される。復号化されたデータは、バッファ１４に一旦記憶される。バッファ１４に記憶されたデータは、制御部１２の制御に基づいて、復号化部１５に供給される。
【００６０】
復号化部１５は、ステップＳ１５において、供給されたデータを復号化する。この符号化部１３における符号化、バッファ１４のデータの記憶、および、復号化部１５における復号化は、制御部１２の制御に基づいて行われる。制御部１２は、符号化部１３により符号化されたデータがバッファ１４に記憶されるタイミングと同期して、復号化部１５による復号化が行われるように制御する。この同期の制御の仕方は、割り込みやポーリングなどの処理により実現される。
【００６１】
復号化部１５により復号化されたデータは、出力部１６に供給される。出力部１６に供給されたデータは、さらに、スピーカ５（図１）に供給される。
【００６２】
このように、所定のモードで符号化されたデータが、符号化された直後に復号化され、その復号化されたデータがスピーカ５に提供されることにより、ユーザは、所定のモードで符号化されたデータが再生されると、どのような音質の音であるのかを、記録媒体３に、そのデータを実際に記録を開始させる前に確認することができる。
【００６３】
このように、本実施の形態においては、記録再生装置４に符号化と復号化が同時に行うことができる機能を備えさせ、試聴ということが行えるようにすることにより、ユーザが、所望の音質の音を得られる圧縮率のモードを、簡便に設定することができる。
【００６４】
ユーザは、スピーカ５から出力されている音の音質を確認し、その音質で録音を開始して良ければ、実際の録音を開始させる。その録音の開始が指示されたか否かが、ステップＳ１６において判断される。この判断は、例えば、操作部１８の録音ボタン３１が操作されたか否かを判断することにより行われる。他の方法で、試聴が解除され、録音が開始されるように設定されている場合には、その方法に基づく操作が行われたか否かが判断されることにより、ステップＳ１６における判断の処理が行われる。
【００６５】
ステップＳ１６において、録音ボタン３１は操作されていないと判断された場合、換言すれば、ユーザが試聴を続けると意図していると判断される場合、ステップＳ１７に進み、モードの変更が指示されたか否かが判断される。ここでは、モードは、図４を参照して説明したように、モードＡ乃至Ｃの３つのモードが用意されている。
【００６６】
ステップＳ１７に処理が進められるときには、その３つのモードのうちの１つのモードで符号化が行われているわけだが、ユーザは、その時点で設定されているモードで符号化されたデータによる音の音質が気に入らなかった場合、または、他のモードで符号化されたデータによる音の音質も試聴することを所望した場合、その時点で設定されているモードを変更することが可能とされている。
【００６７】
例えば、ユーザは、モードを変更したいとき、モードボタン３３（図４）を操作する。そのような操作がされたか否かが、ステップＳ１７において判断される。ステップＳ１７において、モードの変換が指示されたと判断された場合、ステップＳ１３に戻り、それ以降の処理が繰り返される。すなわち、ユーザが変更したモードで、上述した処理と同様の処理が行われる。このような処理が行われることにより、ユーザは、新たに設定されたモードで符号化されたデータによる音の音質を確認することができる。
【００６８】
一方、ステップＳ１７において、モードの変更は指示されていないと判断された場合、ステップＳ１８に進み、試聴の中断（停止）が指示されたか否かが判断される。ユーザは、実際の録音を実行させずに、または、モードの変更などをせずに、試聴自体を停止する可能性があるので、そのような状況に対応するためにステップＳ１８における処理が設けられている。
【００６９】
ステップＳ１８において、試聴の中断は指示されていないと判断された場合、換言すれば、ユーザは、試聴を継続することを意図していると判断される場合、ステップＳ１４に戻り、それ以降の処理が繰り返される。
【００７０】
一方、ステップＳ１８において、試聴の中断が指示されたと判断された場合、ステップＳ１９に処理が進められる。なお、試聴の中断が指示されたと判断されるのは、例えば、操作部１８の試聴ボタン３２が操作されたときであるとする。試聴が行われている状況のときに、試聴ボタン３２が操作されたときには、試聴の中断（停止）が指示されたと判断されるように設定しておくことにより、このような判断を行うことを実現することが可能である。
【００７１】
ステップＳ１９において、試聴の停止が行われる。すなわち、図３に示したようなフローチャートの処理は中止される。そして、ユーザが新たな指示をするまで、待機状態とされる。
【００７２】
このようにして、実際の録音が開始される前の段階で、録音された後の音の音質を確認することができる。このような確認が行えることにより、以下のような不都合が発生するようなことを防ぐことが可能となる。
【００７３】
すなわち、ユーザが所定のモードで符号化され、記録媒体３に記録されたデータを再生したが、その音の音質が気に入らなく、再度、同一のデータを異なるモードで符号化させ、記録媒体３に記録させたいと所望した場合、ユーザも記録再生装置４も、同じ処理を繰り返さなくてはならず、ユーザにとって煩わし処理となり、その処理にかかる時間も無駄になってしまうという不都合が発生することを防ぐことが可能となる。
【００７４】
また、記録媒体３が、１度データを書き込んでしまうと、上書きできないような記録媒体３（例えば、ＣＤ−Ｒ）であるような場合、気に入らない音質の音データが記録された記録媒体３は、処分されるなどし、無駄になってしまうといった不都合があったが、そのような不都合が発生することを防ぐことが可能となる。
【００７５】
図３のフローチャートの説明に戻り、ユーザが、試聴せずに録音を開始させると判断した場合や、試聴した結果、その時点で設定されているモードで録音を開始すると判断した場合、記録再生装置４では、再生装置２から供給されるデータを、記録媒体３に記録（録音）する処理が開始される。すなわち、ステップＳ１２において、試聴が指示されていないと判断された場合、または、ステップＳ１６において、録音が指示されたと判断された場合、ステップＳ２０に処理が進められる。
【００７６】
ステップＳ２０において、符号化部１３により符号化が開始される。再生装置２から供給されるデータは入力部１１に入力され、制御部１２の制御のもと、符号化部１３に供給される。そして、符号化部１３は、供給されたデータを、その時点で、設定されているモードで符号化を行う。符号化されたデータは、バッファ１４に供給され記憶される。
【００７７】
バッファ１４に供給されたデータは、制御部１２の制御のもと、記録再生部１７に供給される。この場合、録音であるので、バッファ１４からのデータは、記録再生部１７に供給される。そして、記録再生部１７は、ステップＳ２１の処理として、記録媒体３に、供給されたデータを記録する（書き込む）。
【００７８】
このようにして、記録媒体３へのデータの記録が行われる。
【００７９】
上述した実施の形態においては、再生装置２から供給されるデータに、何らかの制限を加えることについての説明はしていないが、例えば、試聴ということを考えると、同じ音を聞き比べた方が、異なる音を聞き比べるよりも良いと考えられる。例えば、異なるモードで符号化されたデータによる音の音質を、それぞれ試聴する（聞き比べる）場合、曲の同一の部分で試聴した方が、曲の異なる部分で試聴するよりも、より的確に音質を比較することができ、ユーザが所望のモードを、より的確に選択できるようになると考えられる。
【００８０】
そこで、試聴の際には、同一のデータが符号化されるようにしても良い。そのようにした場合、記録再生装置４の構成は、例えば、図５に示したようになる。図５に示した記録再生装置４と、先に説明した図２に示した記録再生装置４とを比較するに、図５に示した記録再生装置４は、図２に示した記録再生装置４に、記憶部６１を追加した構成とされている。その他の構成は、図２に示した記録再生装置４と同様な構成であるので、その説明は省略する。
【００８１】
記憶部６１は、入力部１１から制御部１２に供給されたデータを記憶するように構成されている。また、記憶部６１に記憶されたデータは、符号化部１３に供給されるように構成されている。従ってこの記憶部６１は、入力部１１が入力した再生装置２からのデータが、符号化部１３に供給される前に記憶される構成とされている。
【００８２】
記憶部６１に記憶されるデータは、例えば、再生装置２により再生された記録媒体１のデータのうちの、再生時間にして１分間に相当するデータ量、または、時間に関係ない所定のデータ量が記憶されるように構成されている。すなわち記憶部６１の容量は、試聴に必要とされるデータ量が記憶できる容量であればよい。
【００８３】
例えば、１分間分のデータが記憶部６１に記憶されるとした場合、再生装置２により再生され、供給されるデータを１分間分だけ、ユーザに音が提供される前に記憶されるようにする。または、ユーザに試聴の音が提供されている状態のとき、すなわち符号化部１３において所定のモードで符号化が行われている状態のときに、記憶部６１は、データを記憶するようにしても良い。
【００８４】
そのようにした場合、記憶部６１は、符号化されるデータとして符号化部１３に供給されるデータが、１分間分のデータ量になったか否か（データを記憶し始めてから１分が経過したか否か）を判断するようにする。そして、１分間分のデータ量になったと判断されるまで、符号化部１３にデータを供給すると共に、その供給するデータの記憶が行われるようにする。
【００８５】
このように、所定のデータ量のデータが記憶部６１に記憶されるようにした場合においても、記録再生装置４の動作は、基本的に、図３のフローチャートを参照して説明した場合と同様に行われる。ただし、ステップＳ１７において、モードの変更が指示されたと判断された場合、ステップＳ１３に戻り、モードの設定が行われ、ステップＳ１４において、符号化が行われるが、この符号化が行われるデータは、記憶部６１に記憶されているデータであり、その時点で、再生装置２から供給されるデータではない。
【００８６】
なお、再生装置２側で同一の部分が繰り返し再生されるように、記録再生装置４側で制御が行えるようになっている場合、再生装置２側から、同一の部分のデータを繰り返し供給されるようにすれば、記録再生装置４に記憶部６１を設けなくても、基本的に、上述したような処理が行えるので、そのような場合には、記録再生装置４に記憶部６１を設ける必要はない。
【００８７】
このように、記憶部６１を設け、その記憶部６１に記憶されているデータが、異なるモードで符号化される対象のデータとされることにより、ユーザは、同じ音（所定の曲の一部分）で、異なるモードで符号化されたデータによる音を聞き比べることができるため、より的確に、所望の音質のモードを選択することができるようになる。
【００８８】
上述した実施の形態においては、ユーザが試聴する際のモードを選択するとしたが、記録再生装置４側で、モードを切り換えてユーザ側に試聴させるようにしても良い。ここでは、モードＡ乃至Ｃの３つのモードが記録再生装置４には用意されているとして説明しているが、例えば、ユーザが試聴を指示したとき、まず、モードＡで符号化されたデータによる音がユーザに提供され、その次に、モードＢで符号化されたデータによる音がユーザに提供され、その次にさらに、モードＣで符号化されたデータによる音がユーザに提供されるようにしても良い。
【００８９】
このように、試聴が行われるときに記録再生装置４側でモードを切り換えるようにした場合、記録再生装置４の構成は、図２または図５に示した記録再生装置４の構成とされる。また、このように、試聴が行われるときに記録再生装置４側でモードを切り換えるようにした場合、記録再生装置４の動作は、図６に示したようなフローチャートに基づいて行われる。
【００９０】
図６に示したフローチャートのうち、ステップＳ４１乃至４６は、図３に示したフローチャートのうちのステップＳ１１乃至Ｓ１６と、基本的に同様の処理なので、その説明は省略する。ステップＳ４７において、その時点で、設定されているモードでの符号化が、所定の時間だけ経過したか否かが判断される。ここでは、所定の時間だけ経過したか否かを判断するようにしているが、所定のデータ量だけ、符号化が行われたか否かが判断されるようにしても良い。
【００９１】
所定の時間が経過したか否かを判断するようにした場合、その所定の時間とは、例えば、１分間などである。このような時間を計時する必要がある場合、記録再生装置４には、計時部（不図示）が設けられており、その計時部により、この計時が行われるようにする。
【００９２】
ステップＳ４７において、所定の時間が経過したと判断された場合、ステップＳ４３に戻り、それ以降の処理が繰り返される。試聴にかかわる処理が開始されてから、始めてステップＳ４３に処理が進められた場合（ステップＳ４２からステップＳ４３に処理が進められた場合）、デフォルトとして設定されているモード（例えば、モードＡ）が設定される。そして、ステップＳ４７からステップＳ４３に処理が来た場合には、その時点で設定されているモード（例えば、モードＡ）の次のモード（例えば、モードＢ）に設定される。
【００９３】
このようにして、モードが、ユーザの指示にかかわらず、順次変更される。その結果、ユーザは、順次変更されるモード毎に、符号化されたデータによる音の音質を確認することができる。
【００９４】
図６に示したフローチャートに基づいて処理が行われる場合、ここではモードＡ、モードＢ、モードＣの順で、順次モードが切り換えられ、モードＣの後、再び、モードＡにモードが切り換えられる。勿論、このように、ユーザの指示がなければ、何度でも、モードが繰り返し切り換えられるようにしても良いが、何らかの条件を設けて、記録再生装置４側で、モードの切り換えが停止されるようにしても良い。
【００９５】
例えば、ステップＳ４７において、所定の時間が経過したと判断された場合、ステップＳ４３に戻る前に、全てのモードへ切り換えたか否かを判断する処理（不図示）を設け、全てのモードへ切り換えていないと判断された場合のみ、ステップＳ４３に戻り、それ以降の処理が繰り返されるようにし、全てのモードへ切り換えたと判断された場合、試聴の処理は終了されるようにしても良い。
【００９６】
このようにして、試聴の処理が行われる一方で、ステップＳ４２において、試聴は指示されていないと判断された場合、すなわち、試聴の処理を行わずに、録音を開始すると判断された場合、ステップＳ５０に処理が進められる。ステップＳ５０，Ｓ５１の処理は、図３に示したフローチャートのステップＳ２０，Ｓ２１と同様の処理なので、その説明は省略する。
【００９７】
一方、ステップＳ４６において、試聴が行われている状態のときに、録音が指示されたと判断された場合、ステップＳ５２における処理を経て、ステップＳ５０に処理が進められる。ステップＳ５２において、ユーザは、試聴した結果、どのモードで録音を行うかを決定し、その決定したモードを設定する。そのような設定がユーザ側で行われると、その設定に基づくモードで、符号化が開始されるように、制御部１２は、符号化部１３を制御する。
【００９８】
このようなモードの設定が行われた後に、ステップＳ５０に処理が進められ、記録媒体３へのデータの記録が開始される。
【００９９】
このように、本実施の形態においては、予め録音を開始する前に、所望の音質で録音が行えるか否かを確認することができるため、効率良く、所望の音質で録音を行なわせることが可能となる。
【０１００】
上述した実施の形態では、ユーザに、符号化された直後に復号化されたデータのみが提供されるようにしたが、そのようなデータと、符号化される前のデータ、すなわち、再生装置２からのデータ自体が、共にユーザに、ほぼ同時に提供されるようにしても良い。
【０１０１】
スピーカ５（図１）が、右チャンネル用と左チャンネル用との、少なくとも２つのスピーカから構成されている場合、例えば、右チャンネルのスピーカには、符号化された直後に復号化されたデータが供給されるようにし、左チャンネルのスピーカには再生装置２からのデータが供給されるようにしても良い。換言すれば、右チャンネルのスピーカには、復号化部１５から出力部１６に供給されるデータが供給されるようにし、左チャンネルのスピーカには、入力部１１から出力部１６に直接的に供給されるデータが供給されるようにしても良い。
【０１０２】
このようにすることで、原音と、その原音が所定のモードで符号化されて録音されたときの音とを、同時に試聴できるようになり、ユーザにとっては音質の違いを認識しやすくなり、所望のモードを設定しやすくなる。
【０１０３】
音ではなく、画像の場合など、原画と、その原画が所定のモードで符号化されて記録されたときの画像を、異なるウィンドウでそれぞれ表示させることにより、より符号化されることによる画質の劣化を、ユーザが認識しやすくなり、所望の画質を得られるモードを設定しやすくなる。
【０１０４】
なお、このようにした場合、同時ではなく、原音（原画）と、符号化された直後に復号化されたデータの音（画像）とが、所定の間隔（例えば、１０秒間隔）で、交互にユーザに提供されるようにしても良い。
【０１０５】
上述した実施の形態においては、１つの符号化方式内で複数の異なるモードが設定できる場合を例に挙げて説明したが、複数の符号化方式が用意され、それらの符号化方式毎に、複数の異なるモードが設定できるようにしても良い。例えば、複数の符号化方式として、ＡＴＲＡＣとＭＰ３が選択できるようにし（用意されているようにし）、そのＡＴＲＡＣについて３モードが選択可能とされ、ＭＰ３について３モードが選択可能とされているようにしても良い。
【０１０６】
このように、複数の符号化方式が選択できるようにされている記録再生装置４においても、基本的に、上述したような処理手順で対応することが可能である。すなわち、複数の符号化方式もモードの１つと考え、そのＡＴＲＡＣについて３モードが選択可能とされ、ＭＰ３について３モードが選択可能とされているような場合には、全部で６モードが設定されているとして処理が行われるようにすればよい。
【０１０７】
勿論、モードの選択の前に、符号化方式が選択できるようにしても良い。
【０１０８】
同じ符号化方式内では、圧縮率の高いモードの方が、音質や画質が悪いものとなってしまうが、ほぼ同じ圧縮率であっても、異なる符号化方式では、異なる音質や画質が得られる可能性があり、上述したように、複数の符号化方式を選択できるようにすることで、ユーザ側にとっては、所望の音質（画質）を得られるモードをより幅広い選択肢から選択できるようになり、より適切に、所望のモードが選択できるようになる。
【０１０９】
なお、複数の符号化方式が選択できるようにされており、それらの符号化方式にはモードは設定されておらず、符号化方式のみが選択できるようにしても良い。このように符号化方式のみが選択できるようにしても、符号化方式により音質や画質は異なるものとなるので、ユーザが、符号化方式を選択でき、かつ、上述したような試聴ができるということは、所望の質のデータをより容易に取得することができるようになる。
【０１１０】
なお、試聴が終了し、記録媒体３への記録が開始されると、復号化部１５により復号が停止されるとしたが、記録媒体３への記録が行われているときでも、復号化部１５による復号が行われ、ユーザに対して、音や映像が提供される状態が維持されるようにしても良い。また、そのようにした場合、記録の途中であっても、ユーザが、所望の符号化方式で符号化されていないと思ったら、その時点で、符号化方式（モード）を選択し直すことができ、その時点から、その新たに選択されたモードで符号化が行われ、記録が継続されるようにしても良い。
【０１１１】
上述した一連の処理は、それぞれの機能を有するハードウェアにより実行させることもできるが、ソフトウェアにより実行させることもできる。一連の処理をソフトウェアにより実行させる場合には、そのソフトウェアを構成するプログラムが専用のハードウェアに組み込まれているコンピュータ、または、各種のプログラムをインストールすることで、各種の機能を実行することが可能な、例えば汎用のパーソナルコンピュータなどに、記録媒体からインストールされる。
【０１１２】
記録媒体の説明を行う前に、簡便に、パーソナルコンピュータについて説明する。図７は、汎用のパーソナルコンピュータの内部構成例を示す図である。パーソナルコンピュータのＣＰＵ（Ｃｅｎｔｒａｌ  Ｐｒｏｃｅｓｓｉｎｇ  Ｕｎｉｔ）１０１は、ＲＯＭ（Ｒｅａｄ  Ｏｎｌｙ  Ｍｅｍｏｒｙ）１０２に記憶されているプログラムに従って各種の処理を実行する。ＲＡＭ（Ｒａｎｄｏｍ  Ａｃｃｅｓｓ  Ｍｅｍｏｒｙ）１０３には、ＣＰＵ１０１が各種の処理を実行する上において必要なデータやプログラムなどが適宜記憶される。入出力インタフェース１０５は、キーボードやマウスから構成される入力部１０６が接続され、入力部１０６に入力された信号をＣＰＵ１０１に出力する。また、入出力インタフェース１０５には、ディスプレイやスピーカなどから構成される出力部１０７も接続されている。
【０１１３】
さらに、入出力インタフェース１０５には、ハードディスクなどから構成される記憶部１０８、および、インターネットなどのネットワークを介して他の装置とデータの授受を行う通信部１０９も接続されている。ドライブ１１０は、磁気ディスク１２１、光ディスク１２２、光磁気ディスク１２３、半導体メモリ１２４などの記録媒体からデータを読み出したり、データを書き込んだりするときに用いられる。
【０１１４】
記録媒体は、図７に示すように、パーソナルコンピュータとは別に、ユーザにプログラムを提供するために配布される、プログラムが記録されている磁気ディスク１２１（フレキシブルディスクを含む）、光ディスク１２２（ＣＤ−ＲＯＭ（Ｃｏｍｐａｃｔ  Ｄｉｓｃ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｃ）を含む）、光磁気ディスク１２３（ＭＤ（Ｍｉｎｉ−Ｄｉｓｃ）（登録商標）を含む）、若しくは半導体メモリ１２４などよりなるパッケージメディアにより構成されるだけでなく、コンピュータに予め組み込まれた状態でユーザに提供される、プログラムが記憶されているＲＯＭ１０２や記憶部１０８が含まれるハードディスクなどで構成される。
【０１１５】
なお、本明細書において、媒体により提供されるプログラムを記述するステップは、記載された順序に従って、時系列的に行われる処理は勿論、必ずしも時系列的に処理されなくとも、並列的あるいは個別に実行される処理をも含むものである。
【０１１６】
また、本明細書において、システムとは、複数の装置により構成される装置全体を表すものである。
【０１１７】
【発明の効果】
本発明によれば、他の装置などから供給されるデータを所定の記録媒体に記録することができる。
【０１１８】
本発明によれば、所定の記録媒体にデータを記録する前に、記録されたデータが再生されたときの音や画像の音質や画質を、実際に、記録媒体に記録が行われる前に、確認することができる。
【図面の簡単な説明】
【図１】本発明を適用した記録再生装置を含むシステムの一実施の形態の構成を示す図である。
【図２】記録再生装置の内部構成例を示す図である。
【図３】記録再生装置の動作を説明するためのフローチャートである。
【図４】操作部と表示部の構成例を示す図である。
【図５】記録再生装置の他の内部構成例を示す図である。
【図６】記録再生装置の他の動作を説明するためのフローチャートである。
【図７】媒体を説明する図である。
【符号の説明】
１  記録媒体，  ２  再生装置，  ３  記録媒体，  ４  記録再生装置，  １１  入力部，  １２  制御部，  １３  符号化部，  １４  バッファ，  １５  復号化部，  １６  出力部，  １７  記録再生部，  １８  操作部，  １９  表示部，  ６１  記憶部
【図１】
2004334968.tif 000003
【図２】
2004334968.tif 000004
【図３】
2004334968.tif 000005
【図４】
2004334968.tif 000006
【図５】
2004334968.tif 000007
【図６】
2004334968.tif 000008
【図７】
2004334968.tif 000009